(57)【要約】【課題】鎖樋を撓ませないよう収まり良く排水管に接続させて、鎖樋を伝って流下する雨水を排水管に排水させることのできる鎖樋の設置構造を提供する。【解決手段】鎖樋１を流下した雨水を地面に突設した排水管１５に排水させる鎖樋１の設置構造である。排水管１５に下部を挿入した筒状の排水管カバー１３を設ける。鎖樋１の下端部に設けた筒状の接続部１ａを排水管カバー１３の上部に嵌合させると共に、この嵌合深さを調節して排水管カバー１３の上部と鎖樋１の下端部の接続部１ａとを取り付ける。【選択図】図１
2008267083.tif 000002
【特許請求の範囲】
【請求項１】
鎖樋を流下した雨水を地面に突設した排水管に排水させる鎖樋の設置構造であって、排水管に下部を挿入した筒状の排水管カバーを設け、鎖樋の下端部に設けた筒状の接続部を排水管カバーの上部に嵌合させると共に、この嵌合深さを調節して排水管カバーの上部と鎖樋の下端部の接続部とを取り付けて成ることを特徴とする鎖樋の設置構造。
【請求項２】
排水管カバーの上部と鎖樋の接続部とにそれぞれねじ部を刻設し、ねじ部同士を締結させて排水管カバーと鎖樋とを着脱自在に取り付けたことを特徴とする請求項１記載の鎖樋の設置構造。
【請求項３】
排水管カバーと排水管とを固着したことを特徴とする請求項１又は２記載の鎖樋の設置構造。
【発明の詳細な説明】
【技術分野】
【０００１】
本発明は、鎖樋の設置構造に関するものである。
【背景技術】
【０００２】
従来一般に、雨水を流下するための鎖樋は下端に重りを地面に接地させずに取り付けて軒先から吊り下げることで撓みを防止して建物に設置されるのであって、鎖樋を伝って流下する雨水はその下端から地面に垂れ流すようにされている（たとえば特許文献１参照）。しかして、鎖樋を伝って流下する雨水量が多い場合には鎖樋の近傍の地面が流下した雨水で溢れてしまうのであり、しかも、鎖樋が風に煽られて大きく振れた場合には、鎖樋を伝って流下する雨水は鎖樋の周囲の広範囲の地面に垂れ流されることとなって、鎖樋の周囲の広範囲の地面で雨水が溢れて汚れてしまう、という問題があった。
【０００３】
なお、雨水を流下する樋としては建物壁に直管状樋部材を固定して成る竪樋も知られる。竪樋を流下した雨水を地面に垂れ流した場合にも、上記地面が流下した雨水で溢れるといった問題が生じるのであるが、竪樋では上記問題に鑑み、竪樋の下端を地面に突設した排水管に接続させて、流下した雨水を滞りなく排水経路に排水させることが一般に行われている。
【０００４】
このような竪樋における排水管への排水構造は地面が流下した雨水で溢れるという問題解決に有効であり、鎖樋の設置に際してこの技術を適用することが考えられるが、実際には上記技術の鎖樋への転用は下記の問題があって実現されていないのが現状である。
【０００５】
すなわち、鎖樋は、上記竪樋とは異なり建物壁に固定されるものではなく、撓ませないように軒先から吊り下げるために、その下端には地面に接地しないように重りが取り付けられており、この重りが排水管への接続を阻害してしまうという問題がある。また、複数の鎖ピース部材を連結させて成る鎖樋は、上記直管状樋部材で構成した竪樋とは異なり、施工現場に合わせて任意長さにするには限界があり、排水管に収まり良く接続させることが困難であるという問題もある。
【特許文献１】実開平５−７８２５号公報
【発明の開示】
【発明が解決しようとする課題】
【０００６】
本発明は上記の点に鑑みてなされたものであり、その目的とするところは、鎖樋を撓ませないよう収まり良く排水管に接続させて、鎖樋を伝って流下する雨水を排水管に排水させることのできる鎖樋の設置構造を提供することを課題とするものである。
【課題を解決するための手段】
【０００７】
上記課題を解決するために請求項１に係る鎖樋の設置構造にあっては、鎖樋１を流下した雨水を地面に突設した排水管１５に排水させる鎖樋１の設置構造であって、排水管１５に下部を挿入した筒状の排水管カバー１３を設け、鎖樋１の下端部に設けた筒状の接続部１ａを排水管カバー１３の上部に嵌合させると共に、この嵌合深さを調節して排水管カバー１３の上部と鎖樋１の下端部の接続部１ａとを取り付けて成ることを特徴とする。
【０００８】
これによると、鎖樋１の下端部に筒状の接続部１ａを設けたことで、排水管１５に連結させた筒状の排水管カバー１３の上端にこの接続部１ａを嵌合構造で連結できて、鎖樋１と排水管１５とを接続して鎖樋１を伝って流下する雨水を滞りなく排水管１５に排水させることができるのであり、そしてこの鎖樋１の接続部１ａと排水管カバー１３との嵌合構造による連結は、その嵌合深さを調節しての取り付けを伴うものであるから、鎖樋１を接続部１ａに取り付けた排水管カバー１３によって下方に引っ張らせて撓ませないようにできるのである。つまり、鎖樋１を撓ませずに排水管１５に収まり良く接続させて鎖樋１に伝って流下する雨水を滞りなく排水経路に排水可能にさせたので、鎖樋１の周囲の地面が流下した雨水で汚れるという問題を解決することができたものである。
【０００９】
また、請求項２に係る鎖樋の設置構造にあっては、請求項１において、排水管カバー１３の上部と鎖樋１の接続部１ａとにそれぞれねじ部１０，１６を刻設し、ねじ部１０，１６同士を締結させて排水管カバー１３と鎖樋１とを着脱自在に取り付けたことを特徴とする。これによると、ねじ部１０，１６による簡単なねじ締結構造によって、排水管カバー１３と鎖樋１の接続部１ａとの嵌合深さの調節を可能にできると共に、排水管カバー１３と鎖樋１の接続部１ａとを着脱自在にできるのであり、メンテナンス時などに排水管カバー１３と鎖樋１とを容易に取外すことができて便利である。
【００１０】
また、請求項３に係る鎖樋の設置構造にあっては、請求項１又は２において、排水管カバー１３と排水管１５とを固着したことを特徴とする。これによると、排水管１５に固着した排水管カバー１３に取り付けた鎖樋１の下端は固定された状態となり、風により煽られた鎖樋１の振れ防止効果を向上できる。
【発明の効果】
【００１１】
本発明にあっては、鎖樋を撓ませないよう収まり良く排水管に接続させて、鎖樋を伝って流下する雨水を滞りなく排水経路に排水可能にできる、という利点を有する。
【発明を実施するための最良の形態】
【００１２】
以下、本発明を添付図面に示す実施形態に基いて説明する。
【００１３】
本例の鎖樋１は図１（ａ）のように建物壁２に沿設された竪樋３の一部を構成している。つまり、この竪樋３は、その上部域が樋支持具１４を介して建物壁２に固定させた直管状樋部４で構成されると共に、下部域が直管状樋部４から吊り下げた鎖樋１で構成されている。そして、この鎖樋１はその下端が鎖樋１の真下の地面に突設した排水管１５に接続され、鎖樋１を流下した雨水が排水管１５を経て排水経路に排水可能にされている。詳しくは、排水管１５に下部を挿入した筒状の排水管カバー１３が被設され、鎖樋１の下端部に設けた筒状の接続部１ａが排水管カバー１３の上部に嵌合され、このとき、この嵌合深さを調節して排水管カバー１３の上部と鎖樋１の接続部１ａとが取り付けされたことで、鎖樋１を撓ませず排水管１５に収まり良く接続することが可能にされている。
【００１４】
ここで、本例の鎖樋１は、図１のように複数の鎖ピース部材５を上下に連結させて吊り支持されている。この鎖ピース部材５は、図２のように、上下に開口せる円筒状に形成されている。この円筒状の鎖ピース部材５にあってその上端部は上部嵌め込み筒部７を構成している。また、鎖ピース部材５の下端部には、下方の鎖ピース部材５の上部嵌め込み筒部７に嵌合させて上下の鎖ピース部材５を直管状に連結させるための下部嵌め込み筒部８が設けられている。この下部嵌め込み筒部８は、鎖ピース部材５の内部を流下する雨水の外方への漏れを防止するべく上部嵌め込み筒部７に内嵌めするために、その外径が上部嵌め込み筒部７の内径と略同様になるように径を小さくした小径部にされている。すなわち、本例の鎖樋１は、鎖ピース部材５同士をその上部嵌め込み筒部７と下部嵌め込み筒部８との嵌合構造でほとんど動かないように連結させて形成されているから、風に煽られた鎖樋１の振れの抑制効果が向上されている。
【００１５】
詳しくは、下方の鎖ピース部材５は上方の鎖ピース部材５に吊り支持されるのであるから、上部嵌め込み筒部７と下部嵌め込み筒部８との間には抜け落ち防止構造が設けられている。抜け落ち防止構造として本例ではねじ締結構造が採用されている。つまり、上部嵌め込み筒部７と下部嵌め込み筒部８とにねじ部１０を刻設し、各ねじ部１０同士を締結させて上下の鎖ピース部材５を着脱自在に連結したものである。詳しくは、上部嵌め込み筒部７のねじ部１０は内面に刻設した雌ねじ部１０ａであり、下部嵌め込み筒部８のねじ部１０は外面に刻設した雄ねじ部１０ｂである。しかして、上部嵌め込み筒部７の内部に下部嵌め込み筒部８を挿入する際には鎖ピース部材５を軸周りに回転させながら行うのであり、これにより図１（ｂ）のように、上部嵌め込み筒部７の雌ねじ部１０ａに下部嵌め込み筒部８の雄ねじ部１０ｂが螺着され、下方の鎖ピース部材５が上方の鎖ピース部材５から抜け落ちないように着脱自在に吊り支持されるようになっている。鎖ピース部材５が着脱自在に連結されたことによると、鎖樋１のメンテナンス時などに鎖ピース部材５を取外すことができて便利である。
【００１６】
また、円筒状の鎖ピース部材５は、その内部を雨水が流下していくのであるが、一般の鎖樋１のように雨水の流下する様を外方より見て楽しませるための窓部６が備えられている。この窓部６は、鎖ピース部材５の下部嵌め込み筒部８に隣接した上位置に設けられており、周方向に等間隔に４本の立リブ部１１を残して筒側面に開設した開口６ａによって構成されている。ここで、鎖ピース部材５の内部における窓部６に隣接した上位置には、内部を流れる雨水を集めて流下させるための絞り部９が鎖ピース部材５の内部に設けられている。この絞り部９は鎖ピース部材５の筒側面から内径を絞るように内方に突出形成された絞り筒部にて構成されており、この絞り筒部は円筒状の鎖ピース部材５の筒側面５ａにてその外方が覆われていて鎖樋１の外観には現出しないようにされている。なお、立リブ部１１は上記絞り筒部の外方を覆う部位である円筒状の鎖ピース部材５の筒側面５ａから下方に垂設されている。これによると、窓部６から見える雨水は絞り部９によって円筒状の鎖ピース部材５の中央部分を流下するようになるのであり、この雨水が鎖ピース部材５の内部から窓部６を通って外方に飛散するという恐れを回避している。
【００１７】
上記のように本例の鎖樋１はその下端部を排水管１５に被設した排水管カバー１３に連結させて排水管１５に接続されるのであるが、この排水管カバー１３は図３のように上下に開口せる円管状に形成された管材である。詳しくは、排水管カバー１３は、内面にねじ部１６（雌ねじ部）が刻設された円筒状の主体筒部１７を有し、この主体筒部１７の下部に、やや径を絞って小径にされた内筒部１８が形成されると共、内筒部１８の上端から外方に突出されて隙間を隔てて内筒部１８の周囲を廻る外筒部１９が形成されている。この排水管カバー１３は、内筒部１８と外筒部１９との隙間に円管状の排水管１５の上部を差し込み、内筒部１８を排水管１５の内部に挿入させて、排水管１５に被設される。
【００１８】
この円筒状の排水管カバー１３の上部に鎖樋１の下端部を連結するには、鎖樋１の下端部に円筒状の接続部１ａを設けることで可能になる。つまり、鎖樋１が任意の形状であっても鎖樋１の下端部に筒状の接続部１ａを設けることで、筒状の排水管カバー１３の上部に接続部１ａを嵌合構造で連結できるのである。なお、円管状の鎖ピース部材５で構成された本例の鎖樋１では、上記円筒状の接続部１ａは鎖樋１の最下位置の鎖ピース部材５の下部嵌め込み筒部８で構成され、下部嵌め込み筒部８を排水管カバー１３の主体筒部１７に内嵌めした嵌合構造によって鎖樋１が排水管カバー１３に連結されている。
【００１９】
通常、建物壁２に固定されない鎖樋１は撓ませないようにするためにその下端には重りが吊り下げられるが、上記のように下端部に接続部１ａを設けると、上記重りを設けることができないために鎖樋１が撓んでしまう恐れが生じることとなる。しかしながら、本例では鎖樋１を比較的大型で重量物とできる排水管カバー１３に取り付けることでこの恐れを解消させている。なお、鎖樋１を排水管カバー１３に取り付ける場合、排水管カバー１３への取付位置を設置現場ごとに異なる鎖樋１の下端位置に合わせる必要があるが、これを汎用的に行わせるため本例の排水管カバー１３と鎖樋１との間には、嵌合深さを調節して両者を取り付ける取付手段が設けられている。
【００２０】
この嵌合深さを調節する取付手段としては、本例ではねじ締結構造が採用されている。すなわち、本例の取付手段は、排水管カバー１３の主体筒部１７の内面に刻設されたねじ部１６（雌ねじ部）と、下部嵌め込み筒部８の外面に刻設されたねじ部１０（雄ねじ部１０ｂ）とで構成されている。これらねじ部１０，１６は螺進自在であって嵌合深さを調節して鎖樋１と排水管カバー１３との取り付けが可能にされている。これにより、接続部１ａに取付手段を介して取り付けた排水管カバー１３によって鎖樋１を下方に引っ張らせて撓ませないようにできたものであり、つまり、鎖樋１を撓ませずに排水管１５に収まり良く接続させて鎖樋１に伝って流下する雨水を滞りなく排水管１５の排水経路に排水可能にさせたのであり、鎖樋１の周囲の地面が流下した雨水で汚れるという問題を解決することができたものである。
【００２１】
ここで、上記本例の取付手段において採用されたねじ締結構造は、排水管カバー１３と鎖樋１とを着脱自在にするものである。しかして、メンテナンス時などに排水管カバー１３と鎖樋１とを容易に取外すことができて便利であるという利点を有する。また、この取付手段は先の鎖ピース部材５間の抜け落ち防止構造を援用したねじ締結構造であり、部材の兼用を図ることができて構成の簡略化が図られているという利点も有している。このように本例では、吊り支持された鎖樋１の下端が排水管１５に接続されているので、固定されないまでも排水管１５や排水管カバー１３によって鎖樋１の下端が規制されて鎖樋１の振れの抑制効果の向上が図られている。無論、排水管カバー１３を排水管１５に接着剤などで固着させてもよく、これによると鎖樋１の振れの抑制効果の更なる向上を図ることができる。
【００２２】
ところで、上記構成の鎖樋１は一般の鎖樋１のように軒先から吊り下げて建物に配設してもよいが、本例では図１（ａ）のように建物壁２に沿設された竪樋３の一部を構成させている。鎖樋１は一般の竪樋３（上下に亙って直管状樋部４で構成された竪樋３）のように樋支持具１４を介して建物壁２に固定するものではないので、鎖樋１は一般の竪樋３のように樋支持具１４に手や足を掛けて伝うように登ることなどできないものであって、一般の竪樋３に比べて防犯上に優れた利点を有する。つまり、下部域が鎖樋１で構成された本例の竪樋３（図１（ａ））には、鎖樋１が有する防犯上の利点を有効に発揮させることができたものである。ここで、鎖樋１は、上記のように建物壁２に固定するものではないので、風に煽られた際には振れ易く、建物壁２に沿設した場合には建物壁２にぶつかる恐れも有するが、本例の鎖樋１は、上述のように鎖ピース部材５同士が嵌合構造で連結されていたり、下端が排水管１５に被設した排水管カバー１３に取り付けられたりして振れ防止の工夫が為され、風に煽られた際に建物壁２にぶつかる恐れが低減化されて、鎖樋１を支障なく建物壁２に沿設することが可能にされている。また、本例の竪樋３にあっては、上部域が建物壁２に固定された直管状樋部４で構成されると共に、下部域が直管状樋部４から吊り下げた鎖樋１で構成されている。この竪樋３の下部域を構成した鎖樋１は、軒先から吊り下げて配設された鎖樋１に比べてその長さは充分に短いものであって風に煽られてもその振れ幅は小さくなるのであり、この点においても風に煽られた鎖樋１の振れ抑制効果の向上が図られていて、建物壁２に鎖樋１がぶつかる恐れの低減が図られている。
【００２３】
また、直管状樋部４に吊り下げられるようにして竪樋３の一部を構成する本例の鎖樋１は、上記のように円筒状の鎖ピース部材５を連結して成るのであって、円管が連続するような竪樋３の外観を現出する。ここで、本例の円筒状の鎖ピース部材５の外径寸法は、鎖樋１を吊り下げ支持する円筒状の直管状樋部４の外径寸法と略同様に形成されており、しかして、上部域を直管状樋部４で構成すると共に下部域を鎖樋１で構成して成る本例の竪樋３には図１（ａ）のように円管が連続するような統一感のある良好な外観が現出されることとなっている。
【００２４】
ここで、鎖樋１の直管状樋部４への取り付けは円筒状の連結継手１２を介して行われている。円筒状の連結継手１２はその上端部に上部嵌込筒部（図示せず）が設けられ、この上部嵌込筒部を直管状樋部４の下端に嵌合することで直管状樋部４の下側に取り付けられている。本例では略同径の直管状樋部４と鎖樋１による外観の連続性を現出するために、連結継手１２の上部嵌込筒部は直管状樋部４の下端に内嵌めされ、パッキン等の防水処理を施すと共に接着剤にて接着されている。なお、鎖樋１の構成長さに応じて直管状樋部４の下端の地面からの高さ位置は異なるのであって、これは直管状樋部４を任意長さ位置で切断することで対応されるのであるが、直管状樋部４の切断面は任意の長さ位置にかかわらず円形で一定であるから、上部嵌込筒部は任意の長さの直管状樋部４の下端にも確実に嵌合させることが可能である。
【００２５】
また、円筒状の連結継手１２の下端部には鎖樋１の上端を取り付ける鎖樋取付部（図示せず）が設けられている。本例の鎖樋取付部は円筒状に形成されて、鎖樋１の最上位置の鎖ピース部材５の上部嵌め込み筒部７に内嵌めされて連結可能にされており、このようにして連結継手１２の下側に鎖樋１が取り付けされている。なお、鎖樋１は連結継手１２に吊り支持されるから、連結継手１２の鎖樋取付部と鎖樋１の上端部との間には抜け落ち防止手段が設けられている。この抜け落ち防止手段は本例では先の鎖ピース部材５間の抜け落ち防止構造を援用する構造が、つまりねじ締結構造が採用されている。すなわち本例では、鎖樋１の上端部を構成する鎖ピース部材５の上部嵌め込み筒部７には雌ねじ部１０ａが設けられており、連結継手１２の鎖樋取付部には上記雌ねじ部１０ａに螺着される雄ねじ部（図示せず）が設けられている。このように鎖樋１と連結継手１２との連結構造（抜け落ち防止手段）に、鎖樋１を構成する鎖ピース部材５間の連結構造（抜け落ち防止構造）を援用させたことで、部材の兼用を図って構成の簡略化が図られている。
【図面の簡単な説明】
【００２６】
【図１】本発明の実施の形態の例であり、（ａ）は竪樋の側面図であり、（ｂ）は鎖樋の要部（（ａ）のＡ部）の断面図である。
【図２】同上の鎖ピース部材であり、（ａ）は側面図であり、（ｂ）は上面図であり、（ｃ）は（ａ）のＢ−Ｂ線断面図である。
【図３】同上の排水管カバーであり、（ａ）は側面図であり、（ｂ）は上面図であり、（ｃ）は（ａ）のＣ−Ｃ線断面図である。
【符号の説明】
【００２７】
１  鎖樋
１ａ  接続部
２  建物壁
３  竪樋
４  直管状樋部
５  鎖ピース部材
８  下部嵌め込み筒部
１０  ねじ部
１３  排水管カバー
１５  排水管
１６  ねじ部
【図１】
2008267083.tif 000003
【図２】
2008267083.tif 000004
【図３】
2008267083.tif 000005